(57)【特許請求の範囲】
【請求項１】
押鍵された鍵に連動して回動するハンマーを備えた電子鍵盤楽器のハンマー装置であって、
前記ハンマーは、
前後方向に延び、後端部の支点を中心として回動自在のハンマー本体と、
このハンマー本体の前記支点よりも前方の所定位置に設けられ、上下方向に貫通した状態に形成された取付孔と、
上下方向に延びる雄ねじ部と、この雄ねじ部の下側に設けられた頭部とを有し、前記雄ねじ部が前記取付孔に下方から進退自在にねじ込まれるとともに、前記頭部が前記鍵の上面後端部に載置されるキャプスタンスクリューと、
を有しており、
前記キャプスタンスクリューの前記雄ねじ部の上端面には、当該キャプスタンスクリューを回転させるための工具を係合可能な係合部が形成されており、
前記取付孔の上端部は、上方に向かって径が次第に大きくなるテーパ状に形成されていることを特徴とする電子鍵盤楽器のハンマー装置。
【請求項２】
前記ハンマーの後部を覆うように配置され、当該ハンマーを回動自在に支持するハンマーサポートを、さらに備え、
当該ハンマーサポートは、上下方向に貫通し、前記工具が前記キャプスタンスクリューの前記係合部に上方からアクセス可能な開口を有していることを特徴とする請求項１に記載の電子鍵盤楽器のハンマー装置。
【発明の詳細な説明】
【技術分野】
【０００１】
本発明は、電子ピアノなどの電子鍵盤楽器に適用され、押鍵された鍵に連動して回動するハンマーを備えた電子鍵盤楽器のハンマー装置に関する。
【背景技術】
【０００２】
従来、電子ピアノのハンマー装置として、例えば特許文献１に開示されたものが知られている。このハンマー装置のハンマーは、鍵ごとに設けられ、対応する鍵の押鍵に伴って回動することにより、鍵に動荷重を付与するものである。各ハンマーは、前後方向に延びるアーム状に形成された合成樹脂製のハンマー本体と、その前部に取り付けられた錘と、ハンマー本体の後端部の支点よりも前方の所定位置に、下方から進退自在にねじ込まれたキャプスタンスクリューとを備えている。キャプスタンスクリューは、雄ねじ部と、その端部に設けられた頭部とを有しており、雄ねじ部と頭部の間には、横断面が六角形に形成され、キャプスタンスクリューを工具で回す際に、その工具が係合する係合部が設けられている。以上のように構成されたハンマーは、その後ろ側において左右方向に延びるように形成されたハンマーレールに、後端部が係合することによって回動自在に支持されるとともに、キャプスタンスクリューを介して、対応する鍵の上面後端部に載置されている。
【０００３】
上記のような複数のハンマーを備えたハンマー装置では、離鍵状態において、側方から見たときのハンマーの姿勢がすべて同一で揃っていることが求められる。このため、電子ピアノの製造時やメンテナンス時に、適正な姿勢に対してずれているハンマーがある場合、キャプスタンスクリューを回すことによって、ハンマー本体からの突出量、すなわちハンマー本体と鍵との間の距離を調整し、それにより、ハンマーを適正な姿勢になるように調整している。
【先行技術文献】
【特許文献】
【０００４】
【特許文献１】特開２００２−１６９５６２号公報
【発明の概要】
【発明が解決しようとする課題】
【０００５】
上記のハンマー装置におけるハンマーの調整作業は通常、次のように行われる。まず、鍵を押鍵した状態に保持することにより、ハンマーを上方に回動させ、それにより、キャプスタンスクリューを前方に露出させる。次いで、鍵とハンマーの間に前方から六角レンチなどの工具を挿入し、キャプスタンスクリューの係合部に工具を係合させ、キャプスタンスクリューを適宜回す。その後、工具をキャプスタンスクリューから外して、鍵を離鍵状態に戻し、これに伴い、上方に回動していたハンマーが元に戻る。そして、調整したハンマーの姿勢を確認する。なお、調整したハンマーの姿勢が適正な姿勢に対してまだずれている場合には、そのずれが解消するまで、上記の手順を繰り返す。このように、従来のハンマー装置では、鍵とハンマーの間の非常に狭い隙間に工具を挿入して、キャプスタンスクリューを回さなければならず、ハンマーの調整作業が煩雑で手間がかかってしまう。
【０００６】
本発明は、以上のような課題を解決するためになされたものであり、ハンマーのキャプスタンスクリューを簡単に回すことができ、それにより、ハンマーの調整作業を容易に行うことができる電子鍵盤楽器のハンマー装置を提供することを目的とする。
【課題を解決するための手段】
【０００７】
上記の目的を達成するために、請求項１に係る発明は、押鍵された鍵に連動して回動するハンマーを備えた電子鍵盤楽器のハンマー装置であって、ハンマーは、前後方向に延び、後端部の支点を中心として回動自在のハンマー本体と、このハンマー本体の支点よりも前方の所定位置に設けられ、上下方向に貫通した状態に形成された取付孔と、上下方向に延びる雄ねじ部と、この雄ねじ部の下側に設けられた頭部とを有し、雄ねじ部が取付孔に下方から進退自在にねじ込まれるとともに、頭部が鍵の上面後端部に載置されるキャプスタンスクリューと、を有しており、キャプスタンスクリューの雄ねじ部の上端面には、キャプスタンスクリューを回転させるための工具を係合可能な係合部が形成されており、取付孔の上端部は、上方に向かって径が次第に大きくなるテーパ状に形成されていることをを特徴とする。
【０００８】
この構成によれば、キャプスタンスクリューは、上下方向に延びる雄ねじ部と、その下側に設けられた頭部とを有しており、雄ねじ部がハンマー本体の上下方向に貫通した取付孔に下方から進退自在にねじ込まれている。また、雄ねじ部の上端面には、キャプスタンスクリューを回転させるための工具を係合可能な係合部が形成されている。したがって、キャプスタンスクリューを回してハンマーを調整する際には、ハンマーの上方から、工具を雄ねじ部の係合部に係合させ、工具を操作することにより、キャプスタンスクリューを簡単に回すことができる。このように、上記構成によれば、鍵とハンマーとの間に工具を挿入してキャプスタンスクリューを回す従来に比べて、ハンマーの調整作業を容易に行うことができる。
【００１０】
ハンマー本体の取付孔の内部にキャプスタンスクリューの雄ねじ部の上端面が位置する場合、その上端面の係合部に工具を係合させる際には、工具を取付孔に上方から挿入する必要がある。上記の取付孔の上端部は、上方に向かって径が次第に大きくなるテーパ状に形成されているので、工具を取付孔に容易に挿入することができる。
【００１１】
請求項２に係る発明は、請求項１に記載の電子鍵盤楽器のハンマー装置において、ハンマーの後部を覆うように配置され、ハンマーを回動自在に支持するハンマーサポートを、さらに備え、ハンマーサポートは、上下方向に貫通し、工具がキャプスタンスクリューの係合部に上方からアクセス可能な開口を有していることを特徴とする。
【００１２】
この構成によれば、ハンマーを回動自在に支持するハンマーサポートが、ハンマーの後部を覆うように配置されており、また、上下方向に貫通する所定の開口を有している。したがって、ハンマーの後部がハンマーサポートで覆われていても、ハンマーサポートの上記開口を介して、工具をキャプスタンスクリューの係合部に上方から容易にアクセスでき、キャプスタンスクリューを簡単に回すことができる。
【図面の簡単な説明】
【００１３】
【図１】本発明の一実施形態によるハンマー装置を適用した電子ピアノの鍵盤装置を、一部を切り欠いた状態で示す側面図である。
【図２】ハンマーサポートを示す斜視図であり、（ａ）は、１オクターブ分のハンマーサポートの全体を示し、（ｂ）は、一部を切り欠いた状態を示す。
【図３】ハンマーサポートを示す図であり、（ａ）は平面図、（ｂ）は正面図である。
【図４】（ａ）はハンマーを示す側面図であり、（ｂ）はキャプスタンスクリューの周囲を拡大して示す図である。
【図５】キャプスタンスクリューの軸部先端面の係合溝を例示する図である。
【発明を実施するための形態】
【００１４】
以下、図面を参照しながら、本発明の好ましい実施形態を詳細に説明する。図１は、本発明の一実施形態によるハンマー装置を適用した電子ピアノの鍵盤装置を、離鍵状態において示している。
【００１５】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１６】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１７】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１８】
鍵２は、前後方向に延びるとともに矩形状の横断面を有する木製の鍵本体１５と、その前部の上面および前面に接着された合成樹脂製の鍵カバー１６で構成されている。鍵本体１５の中心よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００１９】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２０】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２１】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２２】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２３】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２４】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２５】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２６】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２７】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００２８】
次に、本発明に係るハンマー装置について、詳細に説明する。図２および図３は、１オクターブ分のハンマーサポート４を示している。前述したように、このハンマーサポート４は、合成樹脂の成形品で構成されており、互いに左右方向に所定間隔を隔てた状態で、隣り合うハンマー５を仕切る複数の仕切壁４１を有している。この仕切壁４１は、前記ハンマー支持部１９に対応し、側面形状が縦長のほぼ長方形状に形成された方形壁４２と、前記スイッチ取付部２０に対応し、方形壁４２の上部前端に連なりかつ側面形状がほぼ三角形状に形成された三角壁４３とで構成されている。そして、このハンマーサポート４において、すべての方形壁４２は、その下部の前端部および下端部が左右方向に連なるとともに、上部の後端部が、背壁部４４を介して、左右方向に連なっている。一方、すべての三角壁４３は、その上部の前半部が、上壁部４５を介して、左右方向に連なっている。
【００２９】
また、隣り合う仕切壁４１、４１間にはそれぞれ、方形壁４２と三角壁４３が連なる部分に、左右方向に延びる前記支点軸部２１が設けられている。そして、前述したように、この支点軸部２１にハンマー５が回動自在に支持されている。
【００３０】
図４（ａ）は、ハンマー５を示し、同図（ｂ）は、キャプスタンスクリュー２５およびその周囲を、一部切断した状態で拡大して示している。キャプスタンスクリュー２５は、鉄などから成り、同図に示すように、上下方向に延びかつ雄ねじが形成された軸部４６（雄ねじ部）と、下端部に設けられた頭部４７と、軸部４６と頭部４７の間に設けられ、横断面が六角形に形成された六角係合部４８とで構成されている。また、軸部４６の先端面（上端面）には、キャプスタンスクリュー２５を回転させるための工具が係合可能な係合溝４９（係合部）が形成されている。この係合溝４９は、例えば図５（ａ）〜（ｃ）に示すように、平面形状がプラス形状やマイナス形状、六角形状などに形成される。そして、このように構成されたキャプスタンスクリュー２５が、ハンマー本体２２の取付孔５０に下方からねじ込まれている。
【００３１】
この取付孔５０は、図４（ｂ）に示すように、上下方向に貫通するように、ハンマー本体２２に形成されている。また、取付孔５０の上端部５０ａは、上方に向かって径が次第に大きくなるテーパ状に形成されている。
【００３２】
次に、ハンマー５の調整作業について説明する。電子ピアノの製造時においては、ハンマーサポート４のスイッチ取付部２０に鍵スイッチ７を取り付ける前に実行され、またメンテナンス時においては、ハンマーサポート４から鍵スイッチ７を取り外した状態で実行される。すなわち、前述した図１の鍵盤装置１において、鍵スイッチ７を省略した状態で行う。この場合、ハンマーサポート４では、隣り合う仕切壁４１、４１、背壁部４４および上壁部４５によって画成される開口４０が、上下方向に貫通した状態に開放され、この開口４０を介して、各ハンマー５の後部が上方に露出する。
【００３３】
まず、調整すべきハンマー５に対応する鍵２を押鍵した状態に保持し、ハンマー５を上方に回動させる。これにより、キャプスタンスクリュー２５の係合溝４９が、ハンマーサポート４の開口４０に向いた状態になる。次いで、その係合溝４９に対応する工具（例えば、プラスドライバーやマイナスドライバーなど）を、開口４０を介して、上方からハンマー５側に挿入し、さらに取付孔５０に挿入する。そして、工具を係合溝４９に係合させ、キャプスタンスクリュー２５を適宜回す。調整終了後、工具をハンマー５の取付孔５０およびハンマーサポート４の開口４０から上方に引き出して、鍵２を離鍵状態に戻し、これに伴い、上方に回動していたハンマー５が元に戻る。なお、このキャプスタンスクリュー２５には、従来と同様、軸部４６と頭部４７の間に、六角係合部４８が設けられているので、この六角係合部４８を利用することにより、従来と同様にして、キャプスタンスクリュー２５を回し、ハンマー５を調整することも可能である。
【００３４】
以上詳述したように、本実施形態によれば、ハンマー５を調整する場合、ハンマー５の上方から、工具を軸部４６の係合溝４９に係合させ、工具を操作することにより、キャプスタンスクリュー２５を簡単に回すことができる。したがって、鍵とハンマーとの間に工具を挿入してキャプスタンスクリューを回す従来のハンマー装置に比べて、ハンマーの調整作業を容易に行うことができる。また、ハンマー本体２２の取付孔５０の上端部５０ａは、テーパ状に形成されているので、工具を取付孔５０に容易に挿入することができる。
【００３５】
なお、本発明は、説明した上記実施形態に限定されることなく、種々の態様で実施することができる。例えば、実施形態では、キャプスタンスクリュー２５の係合溝４９として、３種類の形状を例示したが、係合溝４９の形状はこれらに限定されるものではなく、他の形状（例えば三角形や四角形など）を採用することも可能である。また、係合溝４９とこれに係合する工具との凹凸関係を逆にすることも可能である。
【００３６】
また、実施形態では、キャプスタンスクリュー２５の係合溝４９が、ハンマー本体２２の取付孔５０の内部に位置した状態を示したが、軸部４６が取付孔５０を貫通し、係合溝４９がハンマー本体２２の上面よりも上方に位置するよう、軸部４６がより長いキャプスタンスクリューを採用してもよい。この場合には、工具を、ハンマー本体２２の取付孔５０に挿入することなく、係合溝４９に係合させることが可能となる。
【００３７】
さらに、実施形態では、ハンマーサポート４から鍵スイッチ７を省略した状態で、ハンマー５の調整を行ったが、例えば、鍵スイッチ７のスイッチ基板２９に、工具を挿入可能な孔を形成しておくことにより、鍵スイッチ７をハンマーサポート４に取り付けた状態のまま、上記の孔を介して、工具を挿入し、キャプスタンスクリュー２５を回すことが可能となる。
【００３８】
また、実施形態で示したハンマー５やキャプスタンスクリュー２５の細部の構成などは、あくまで例示であり、本発明の趣旨の範囲内で適宜、変更することができる。
【符号の説明】
【００３９】
１    鍵盤装置
２    鍵
４    ハンマーサポート
５    ハンマー
２２    ハンマー本体
２５    キャプスタンスクリュー
４０    開口
４６    軸部（雄ねじ部）
４７    頭部
４９    係合溝（係合部）
５０    取付孔
５０ａ  取付孔の上端部
【図１】
0005890642.tif 000002
【図２】
0005890642.tif 000003
【図３】
0005890642.tif 000004
【図４】
0005890642.tif 000005
【図５】
0005890642.tif 000006